(57)【要約】【課題】回線品質のよい有線通信回線を選択する。【解決手段】ＤＳＵ３８は、複数のデジタル回線１８のそれぞれに接続するための終端装置である。処理部３４は、デジタル回線１８に接続するために、信号変換などをおこなう。同期確認部３６は、デジタル回線１８を介して接続される基地局装置１６と交換機の間のタイミング同期を確認する。決定部４０は、複数の同期確認部３６から所定期間内におけるタイミング同期が外れる回数をそれぞれ受付け、それらの中で回数の少ないデジタル回線１８から高い優先度を設定する。優先度テーブル４２は、複数のデジタル回線１８のそれぞれに対する優先度を記憶する。無線部３０は、端末装置に対応した無線通信のための信号処理を実行する。制御部３２は、優先度テーブル４２をもとに選択したデジタル回線１８と無線部３０を接続する。【選択図】        図２
2004297217.tif 000002
【特許請求の範囲】
【請求項１】
複数の有線通信回線を接続する通信部と、
前記複数の有線通信回線の回線品質をそれぞれ測定する測定部と、
前記測定した回線品質をもとに、回線品質のよい有線通信回線が高くなるような優先度を前記複数の有線通信回線にそれぞれ設定する優先度設定部と、
を含むことを特徴とする回線品質比較装置。
【請求項２】
複数の有線通信回線を接続する通信部と、
前記複数の有線通信回線の回線品質をそれぞれ測定する測定部と、
前記測定した回線品質をもとに、回線品質のよい有線通信回線が高くなるような優先度を前記複数の有線通信回線にそれぞれ設定する優先度設定部とを含み、
前記通信部は、前記複数の有線通信回線の中で使用可能な有線通信回線のうち、高い優先度が設定された有線通信回線を選択して信号を伝送することを特徴とする通信装置。
【請求項３】
前記測定部は、所定期間における前記複数の有線通信回線で伝送される信号の同期が外れる回数をそれぞれ測定することを特徴とする請求項２に記載の通信装置。
【請求項４】
前記測定部は、所定期間における前記複数の有線通信回線で伝送される信号の周波数の変動をそれぞれ測定することを特徴とする請求項２に記載の通信装置。
【請求項５】
前記測定部は、所定期間における前記複数の有線通信回線で伝送される信号のエラー回数をそれぞれ測定することを特徴とする請求項２に記載の通信装置。
【請求項６】
複数の有線通信回線を接続する通信部と、
前記複数の有線通信回線のいずれかで伝送される信号をさらに無線端末装置に伝送する無線部と、
前記複数の有線通信回線の回線品質をそれぞれ測定する測定部と、
前記測定した回線品質をもとに、回線品質のよい有線通信回線が高くなるような優先度を前記複数の有線通信回線にそれぞれ設定する優先度設定部とを含み、
前記通信部は、前記複数の有線通信回線の中で使用可能な有線通信回線のうち、高い優先度が設定された有線通信回線を選択して信号を伝送することを特徴とする無線通信装置。
【請求項７】
接続した複数の有線通信回線に対して、予め回線品質のよい有線通信回線が高くなるような優先度をそれぞれ設定し、通信を行う際に、前記複数の有線通信回線の中で使用可能な有線通信回線のうち、高い優先度が設定された有線通信回線を選択することを特徴とする回線選択方法。
【請求項８】
複数の有線通信回線を接続するステップと、
前記複数の有線通信回線の回線品質をそれぞれ測定するステップと、
前記測定した回線品質をもとに、回線品質のよい有線通信回線が高くなるような優先度を前記複数の有線通信回線にそれぞれ設定するステップと、
をコンピュータに実行させるためのプログラム。
【発明の詳細な説明】
【０００１】
【発明の属する技術分野】
本発明は回線選択技術ならびにそれを利用した回線品質比較技術、通信技術および無線通信技術に関する。特に複数の有線通信回線の中から通信に使用するための有線通信回線を選択する回線品質比較装置、通信装置および無線通信装置に関する。
【０００２】
【従来の技術】
日本において、電話は常時通じるのが当たり前であり、電話やＦＡＸ、データ通信を統合して扱うデジタル通信網のＩＳＤＮ（Ｉｎｔｅｇｒａｔｅｄ  Ｓｅｒｖｉｃｅｓ  Ｄｉｇｉｔａｌ  Ｎｅｔｗｏｒｋ）を使用すれば、家庭でも６４ｋｂｐｓや１２８ｋｂｐｓの伝送速度で、通信サービスを受けることができる。近年は、一般的にＩＳＤＮより高速なＡＤＳＬ（Ａｓｙｍｍｅｔｒｉｃ  Ｄｉｇｉｔａｌ  Ｓｕｂｓｃｒｉｂｅｒ  Ｌｉｎｅ）も普及しつつある。
【０００３】
しかし、中国、東南アジアやロシアなどの北東アジアでは、電話が通じない場合がある。また、インターネットを使用して数メガバイトのデータを伝送する場合にも伝送中にトラブルが生じることもある。さらに、公衆回線や専用回線にもトラブルが生じる場合がある（例えば、非特許文献１参照。）。
【０００４】
【非特許文献１】
天達  洋文、”北東アジア経済圏におけるＥＣシステムの必要性”、［ｏｎｌｉｎｅ］、２０００年４月７日、［２００３年３月１３日検索］、インターネット＜ＵＲＬ：  ｈｔｔｐ：／／ｈｏｍｅｐａｇｅ１．ｎｉｆｔｙ．ｃｏｍ／ｉｔｏｈ／ａｓｉａ／ｐａｐｅｒ／ｃｈｏｒｉ．ｈｔｍ＞
【０００５】
【発明が解決しようとする課題】
本発明者はこうした状況下、以下の課題を認識するに至った。簡易型携帯電話システムのような無線通信システムは、一般的に、ユーザが使用する端末装置と基地局装置の間を、無線通信回線によって接続し、基地局装置と交換機の間を有線通信回線によって接続する。有線通信回線としてＩＳＤＮを使用する場合、無線通信回線における端末装置の接続可能数に応じて、基地局装置は複数のＩＳＤＮを接続する。一般に、ＩＳＤＮの回線品質は無線通信回線の回線品質よりも良好であるため、基地局装置は、通信を開始する際に複数のＩＳＤＮのうちどの回線を選択しても、簡易型携帯電話システムの品質は劣化しない。
【０００６】
簡易型携帯電話システムでは、例えば３２ｋｂｐｓから１２８ｋｂｐｓの伝送速度で通信可能であるが、前述の中国などにおいて簡易型携帯電話システムを導入すると、有線通信回線の回線品質が劣化しているために、伝送速度が３２ｋｂｐｓより遅くなる場合もある。さらには、通話ができない場合もある。
【０００７】
本発明者はこうした状況を認識して、本発明をなしたものであり、その目的は複数の有線通信回線の中から通信に使用する有線通信回線を選択するための回線選択方法ならびにそれを利用した回線品質比較装置、通信装置および無線通信装置を提供することである。また、複数の有線通信回線から使用する有線通信回線を選択する際に、回線品質のよい有線通信回線を選択するための回線選択方法ならびにそれを利用した回線品質比較装置、通信装置および無線通信装置を提供することである。
【０００８】
【課題を解決するための手段】
本発明のある態様は、回線品質比較装置である。この装置は、複数の有線通信回線を接続する通信部と、複数の有線通信回線の回線品質をそれぞれ測定する測定部と、測定した回線品質をもとに、回線品質のよい有線通信回線が高くなるような優先度を複数の有線通信回線にそれぞれ設定する優先度設定部とを含む。
【０００９】
「有線通信回線」は、有線回線であればよく、通常の電話線に限らず、光ファイバも含むものとする。また、有線通信回線を伝送する信号の形式もデジタル信号、アナログ信号のいずれも含むものとする。
以上の装置により、それぞれの有線通信回線に設定された優先度を参照するのみで、回線品質の優劣を判定可能である。
【００１０】
本発明の別の態様は、通信装置である。この装置は、複数の有線通信回線を接続する通信部と、複数の有線通信回線の回線品質をそれぞれ測定する測定部と、測定した回線品質をもとに、回線品質のよい有線通信回線が高くなるような優先度を複数の有線通信回線にそれぞれ設定する優先度設定部とを含む。この装置において、通信部は、前記複数の有線通信回線の中で使用可能な有線通信回線のうち、高い優先度が設定された有線通信回線を選択して信号を伝送してもよい。
【００１１】
測定部は、所定期間における複数の有線通信回線で伝送される信号の同期が外れる回数をそれぞれ測定してもよい。また、測定部は、所定期間における複数の有線通信回線で伝送される信号の周波数の変動をそれぞれ測定してもよい。また、測定部は、所定期間における複数の有線通信回線で伝送される信号のエラー回数をそれぞれ測定してもよい。
以上の装置により、優先度の高い、すなわち回線品質のよい有線通信回線の使用頻度を向上可能とする。
【００１２】
本発明のさらに別の態様は、無線通信装置である。この装置は、複数の有線通信回線を接続する通信部と、複数の有線通信回線のいずれかで伝送される信号をさらに無線端末装置に伝送する無線部と、複数の有線通信回線の回線品質をそれぞれ測定する測定部と、測定した回線品質をもとに、回線品質のよい有線通信回線が高くなるような優先度を複数の有線通信回線にそれぞれ設定する優先度設定部とを含む。この装置において、通信部は、複数の有線通信回線の中で使用可能な有線通信回線のうち、高い優先度が設定された有線通信回線を選択して信号を伝送してもよい。
以上の装置により、端末装置との間で通信データを伝送するために、優先度の高い、すなわち回線品質のよい有線通信回線の使用頻度を向上可能とする。
【００１３】
本発明のさらに別の態様は、回線選択方法である。この方法は、接続した複数の有線通信回線に対して、予め回線品質のよい有線通信回線が高くなるような優先度をそれぞれ設定し、通信を行う際に、複数の有線通信回線の中で使用可能な有線通信回線のうち、高い優先度が設定された有線通信回線を選択する。
【００１４】
本発明のさらに別の態様も、回線選択方法である。この方法は、複数の有線通信回線を接続するステップと、複数の有線通信回線の回線品質をそれぞれ測定するステップと、測定した回線品質をもとに、回線品質のよい有線通信回線が高くなるような優先度を複数の有線通信回線にそれぞれ設定するステップとを含む。
【００１５】
本発明のさらに別の態様も、回線選択方法である。この方法は、複数の有線通信回線を接続するステップと、複数の有線通信回線の回線品質をそれぞれ測定するステップと、測定した回線品質をもとに、回線品質のよい有線通信回線が高くなるような優先度を複数の有線通信回線にそれぞれ設定するステップとを含む。この方法において、複数の有線通信回線を接続するステップは、複数の有線通信回線の中で使用可能な有線通信回線のうち、高い優先度が設定された有線通信回線を選択して信号を伝送してもよい。
【００１６】
回線品質をそれぞれ測定するステップは、所定期間における複数の有線通信回線で伝送される信号の同期が外れる回数をそれぞれ測定してもよい。また、回線品質をそれぞれ測定するステップは、所定期間における複数の有線通信回線で伝送される信号の周波数の変動をそれぞれ測定してもよい。また、回線品質をそれぞれ測定するステップは、所定期間における複数の有線通信回線で伝送される信号のエラー回数をそれぞれ測定してもよい。
【００１７】
本発明のさらに別の態様も、回線選択方法である。この方法は、複数の有線通信回線を接続するステップと、複数の有線通信回線のいずれかで伝送される信号をさらに無線端末装置に伝送するステップと、複数の有線通信回線の回線品質をそれぞれ測定するステップと、測定した回線品質をもとに、回線品質のよい有線通信回線が高くなるような優先度を複数の有線通信回線にそれぞれ設定するステップとを含む。この方法において、複数の有線通信回線を接続するステップは、複数の有線通信回線の中で使用可能な有線通信回線のうち、高い優先度が設定された有線通信回線を選択して信号を伝送してもよい。
【００１８】
本発明のさらに別の態様は、プログラムである。このプログラムは、複数の有線通信回線を接続するステップと、複数の有線通信回線の回線品質をそれぞれ測定するステップと、測定した回線品質をもとに、回線品質のよい有線通信回線が高くなるような優先度を複数の有線通信回線にそれぞれ設定するステップとを含む。
【００１９】
本発明のさらに別の態様も、プログラムである。このプログラムは、複数の有線通信回線を接続するステップと、複数の有線通信回線の回線品質をそれぞれ測定するステップと、測定した回線品質をもとに、回線品質のよい有線通信回線が高くなるような優先度を複数の有線通信回線にそれぞれ設定するステップとを含む。このプログラムにおいて、複数の有線通信回線を接続するステップは、複数の有線通信回線の中で使用可能な有線通信回線のうち、高い優先度が設定された有線通信回線を選択して信号を伝送してもよい。
【００２０】
回線品質をそれぞれ測定するステップは、所定期間における複数の有線通信回線で伝送される信号の同期が外れる回数をそれぞれ測定してもよい。また、回線品質をそれぞれ測定するステップは、所定期間における複数の有線通信回線で伝送される信号の周波数の変動をそれぞれ測定してもよい。また、回線品質をそれぞれ測定するステップは、所定期間における複数の有線通信回線で伝送される信号のエラー回数をそれぞれ測定してもよい。
【００２１】
本発明のさらに別の態様も、プログラムである。このプログラムは、複数の有線通信回線を接続するステップと、複数の有線通信回線のいずれかで伝送される信号をさらに無線端末装置に伝送するステップと、複数の有線通信回線の回線品質をそれぞれ測定するステップと、測定した回線品質をもとに、回線品質のよい有線通信回線が高くなるような優先度を複数の有線通信回線にそれぞれ設定するステップとを含む。このプログラムにおいて、複数の有線通信回線を接続するステップは、複数の有線通信回線の中で使用可能な有線通信回線のうち、高い優先度が設定された有線通信回線を選択して信号を伝送してもよい。
【００２２】
なお、以上の構成要素の任意の組合せ、本発明の表現を方法、装置、システム、記録媒体、コンピュータプログラムなどの間で変換したものもまた、本発明の態様として有効である。
【００２３】
【発明の実施の形態】
（実施の形態１）
実施の形態１は、簡易型携帯電話システムにおける基地局装置に関する。基地局装置は、無線通信回線によって複数の端末装置を接続可能であるが、その一方、所定の公衆回線やインターネットなどと接続するために、有線通信回線のひとつであるデジタル回線とも接続する。基地局装置は接続可能な端末装置の数に応じて、複数のデジタル回線を接続するが、本実施の形態では、通信を開始する前に予め複数のデジタル回線の回線品質をそれぞれ測定し、回線品質の高いデジタル回線が高くなるような優先度をそれぞれのデジタル回線に対して設定する。通信を開始する際には、使用可能なデジタル回線のうち優先度が高く設定されたデジタル回線から順番に使用する。その結果、多くのデジタル回線数が同時に使用される場合を除いて、優先度が低く設定されたデジタル回線の使用確率が減少する。
【００２４】
本実施の形態においては、回線品質の測定として、デジタル回線を介して当該基地局装置に接続された交換機等の通信装置と、当該基地局装置間のタイミング同期が所定期間内に外れる回数（以下、「非同期回数」という）を測定する。その結果、タイミング同期が外れると、通信対象の信号に誤り訂正処理が施されていても通信自体が不可能になるため、非同期回数の少ないデジタル回線の回線品質が高いと判定する。
【００２５】
図１は、実施の形態１に係る簡易型携帯電話システム１００を示す。簡易型携帯電話システム１００は、端末装置１０、端末用アンテナ１２、基地局用アンテナ１４、基地局装置１６、デジタル回線１８と総称される第１デジタル回線１８ａ、第２デジタル回線１８ｂ、第３デジタル回線１８ｃ、第４デジタル回線１８ｄ、交換機２０、ネットワーク２２を含む。
【００２６】
端末装置１０は、ユーザが使用する無線装置であり、端末用アンテナ１２を有して後述の基地局装置１６に接続する。図１においては、ひとつの端末装置１０のみを示したが、簡易型携帯電話システム１００には複数の端末装置１０が含まれていてもよい。
【００２７】
基地局装置１６は、複数の端末装置１０に対して所定の無線チャネルを割当てることによって、それぞれの端末装置１０と通信可能な無線装置である。端末装置１０と接続するために、基地局用アンテナ１４を有する。
【００２８】
デジタル回線１８は、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）に代表され、基地局装置１６と後述の交換機２０を接続する。ここでは、基地局装置１６と交換機２０を４本のデジタル回線１８によって接続する。
ネットワーク２２は、インターネットや公衆回線などである。
【００２９】
図２は、基地局装置１６の構成を示す。基地局装置１６は、無線部３０、制御部３２、処理部３４と総称される第１処理部３４ａ、第２処理部３４ｂ、第３処理部３４ｃ、第４処理部３４ｄ、同期確認部３６と総称される第１同期確認部３６ａ、第２同期確認部３６ｂ、第３同期確認部３６ｃ、第４同期確認部３６ｄ、ＤＳＵ（Ｄｉｇｉｔａｌ  Ｓｅｒｖｉｃｅ  Ｕｎｉｔ）３８と総称される第１ＤＳＵ３８ａ、第２ＤＳＵ３８ｂ、第３ＤＳＵ３８ｃ、第４ＤＳＵ３８ｄ、決定部４０、優先度テーブル４２を含む。
【００３０】
ＤＳＵ３８は、複数のデジタル回線１８のそれぞれに接続するための終端装置である。ＤＳＵ３８の役割をＯＳＩ（Ｏｐｅｎ  Ｓｙｓｔｅｍｓ  Ｉｎｔｅｒｃｏｎｎｅｃｔｉｏｎ）の７階層に当てはめれば、最も低位の階層であるレイヤ１に相当し、具体的には、レイヤ１での保守機能、モニタリング、タイミング調整、電力転送、レイヤ１の多重化、インターフェイスの終端機能等を実現する。
【００３１】
処理部３４は、デジタル回線１８に接続するために、信号変換、速度変換、発呼や着信の制御などをおこなう。デジタル回線１８で通信する信号の処理は主に処理部３４でなされる。
【００３２】
同期確認部３６は、デジタル回線１８を介して接続される基地局装置１６と交換機２０の間のタイミング同期を確認する。デジタル回線１８の回線品質が劣化している場合、交換機２０から基地局装置１６へ伝送される信号の信号強度が減衰するため、基地局装置１６での受信電力が小さくなり、それと共に基地局装置１６と交換機２０の間のタイミング同期が外れる。ここでは、所定期間内におけるタイミング同期が外れる回数あるいは時間を測定する。また、これを受信電力が所定の値より小さくなる基準によって、代用してもよい。
【００３３】
決定部４０は、複数の同期確認部３６から所定期間内における非同期回数をそれぞれ受付け、それらの中で非同期回数の少ないデジタル回線１８から高い優先度を設定する。ここでは、最も高い優先度を「優先度１」とするため、最も非同期回数の少ないデジタル回線１８を「優先度１」に、最も非同期回数の多いデジタル回線１８を「優先度４」にする。なお、非同期回数が同一の場合は、予め定めた規則によって強制的に優先度を設定してもよい。
【００３４】
優先度テーブル４２は、決定部４０によって設定された複数のデジタル回線１８のそれぞれに対する優先度を記憶する。図３は、優先度テーブル４２におけるデータ構造を示す。「回線Ｎｏ．」は、予め設定されたデジタル回線１８の識別番号を示し、それぞれに対応した「優先度」を記憶する。また、優先度テーブル４２は、同期確認部３６と決定部４０によって優先度が更新されるタイミングで、更新されてもよい。
無線部３０は、端末装置１０に対応した無線通信のための信号処理を実行する。例えば、周波数変換、変調、復調、多重接続処理などである。
【００３５】
制御部３２は、優先度テーブル４２をもとに選択したデジタル回線１８と無線部３０を接続し、端末装置１０から送信されたデータを基地局装置１６、デジタル回線１８、交換機２０を経由してネットワーク２２に送る。あるいはその逆の動作を実行する。なお、デジタル回線１８の選択においては、優先度テーブル４２の中で使用されていないデジタル回線１８のうち、最も優先度の高いデジタル回線１８を選択する。また、通信が終了すれば、使用していたデジタル回線１８を開放する。
【００３６】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３７】
図４は、優先順位を決定する手順を示すフローチャートである。当該手順は、すべての通信が開始される前に実行される。同期確認部３６は、デジタル回線１８における非同期回数を測定する。決定部４０は、非同期回数の測定結果をそれぞれ入力する（Ｓ１０）。優先度ｉを１に設定し（Ｓ１２）、選択されていないデジタル回線１８の中で最も品質の高い、すなわち非同期回数の少ないデジタル回線１８に優先度ｉを付与する（Ｓ１４）。優先度ｉが４でなければ（Ｓ１６のＮ）、優先度ｉに１を加算する（Ｓ１８）。一方、優先度ｉが４になれば（Ｓ１６のＹ）、処理を終了し、結果を優先度テーブル４２に記憶する。
【００３８】
図５は、有線通信回線を選択する手順を示すフローチャートである。制御部３２は、優先度ｉを１に設定し（Ｓ２０）、優先度テーブル４２で優先度ｉに対応したデジタル回線１８を検索し、当該デジタル回線１８で通信可能であれば（Ｓ２４のＹ）、通信処理を実行する（Ｓ２８）。一方、優先度ｉに対応したデジタル回線１８で通信可能でなければ（Ｓ２４のＮ）、ｉに１を加算して（Ｓ２６）、処理を続行する。なお、優先度ｉが４より大きくなれば（Ｓ２２のＹ）、すべてのデジタル回線１８が使用中のため、通信失敗処理を実行する（Ｓ３０）。
【００３９】
以上の構成による基地局装置１６の動作を説明する。端末装置１０との通信に先立って、複数の同期確認部３６は対応したデジタル回線１８における非同期回数を測定し、測定結果をもとに決定部４０がデジタル回線１８の優先度を決定する。端末装置１０との通信を開始する際、無線部３０で受信した通信開始の要求信号をもとにして、制御部３２がデジタル回線１８を選択する。具体的には、優先度テーブル４２に記憶された優先度をもとに使用されていないデジタル回線１８のうち最も優先度の高いデジタル回線１８を選択する。ここでは、最も優先度が高く設定されたデジタル回線１８が使用中であるとするため、次に優先度が高く設定されたデジタル回線１８を選択する。その結果、前述の端末装置１０からの通信開始の要求信号が、選択されたデジタル回線１８を伝送し、交換機２０に到達する。その後、端末装置１０は基地局装置１６を経由してネットワーク２２にある所定の通信装置と通信可能になる。
【００４０】
実施の形態１によれば、複数の有線通信回線のうち、所定期間において同期が外れる回数の少ない有線通信回線がより高い頻度で使用され、その結果、同期が外れる回数の多い有線通信回線の使用頻度が減少するために、より安定した通信を提供できる。さらに、同期が外れる回数の測定を適宜実行すれば、デジタル回線１８の断線などによる通信トラブルを事前に回避できる。
【００４１】
（実施の形態２）
実施の形態２は、実施の形態１と同様に簡易型携帯電話システムにおける基地局装置に接続された複数のデジタル回線を選択する技術に関する。実施の形態２における基地局装置は、実施の形態１と同様に通信を開始する前に、デジタル回線の優先度の設定を目的として、予め複数のデジタル回線の回線品質をそれぞれ測定するが、実施の形態１とは回線品質の測定方法が異なる。当該基地局装置は、デジタル回線における信号のクロック周波数の変動すなわち安定度を測定する。安定度が低ければ信号のクロック周波数がより変動するため、クロック周波数の変動を原因としてタイミング同期が外れる可能性が増大する。すなわち、クロック周波数の安定度の測定によって、タイミング同期が外れる可能性の高いデジタル回線を未然に判定する。
【００４２】
実施の形態２に係る簡易型携帯電話システム１００の構成としては、図１に示されるものが有効であるため、簡易型携帯電話システム１００の構成の説明は省略する。
【００４３】
図６は、実施の形態１に係る基地局装置１６の構成を示す。基地局装置１６は、図２の基地局装置１６における同期確認部３６の代わりに、クロック精度測定部４４と総称される第１クロック精度測定部４４ａ、第２クロック精度測定部４４ｂ、第３クロック精度測定部４４ｃ、第４クロック精度測定部４４ｄを含む。
【００４４】
クロック精度測定部４４は、デジタル回線１８における信号のクロック周波数の変動値、すなわち処理部３４やＤＳＵ３８のそれぞれと、それに対応した交換機２０の間のクロック周波数の変動値を測定する。さらに、測定結果を決定部４０に出力する。
【００４５】
実施の形態２に係る優先順位を決定する手順を示すフローチャートとしては、図４に示されるものが有効である。ここでは、ステップ１０において、クロック精度測定部４４で測定したデジタル回線１８におけるクロック周波数の変動値を入力する。また、ステップ１４では、入力したクロック周波数の変動値をもとにして、変動値の小さいデジタル回線１８を品質のよいデジタル回線１８として処理する。
実施の形態２に係る有線通信回線を選択する手順を示すフローチャートとしては、図５に示されるものが有効であるため説明を省略する。
【００４６】
以上の構成による基地局装置１６の動作を説明する。端末装置１０との通信に先立って、複数の同期確認部３６は対応したデジタル回線１８におけるクロック周波数の変動値を測定し、測定結果をもとに決定部４０がデジタル回線１８の優先度を決定する。端末装置１０との通信を開始する際、無線部３０で受信した通信開始の要求信号をもとにして、制御部３２がデジタル回線１８を選択する。具体的には、優先度テーブル４２に記憶された優先度をもとに使用されていないデジタル回線１８のうち最も優先度の高いデジタル回線１８を選択する。ここでは、最も優先度が高く設定されたデジタル回線１８が使用中であるとするため、次に優先度が高く設定されたデジタル回線１８を選択する。その結果、前述の端末装置１０からの通信開始の要求信号が、選択されたデジタル回線１８を伝送し、交換機２０に到達する。その後、端末装置１０は基地局装置１６を経由してネットワーク２２にある所定の通信装置と通信可能になる。
【００４７】
実施の形態２によれば、複数の有線通信回線のうち、クロック周波数の変動の小さい有線通信回線がより高い頻度で使用され、その結果、クロック周波数の変動の大きい有線通信回線の使用頻度が減少するために、より安定した通信を提供できる。さらに、クロック周波数の変動の測定を適宜実行すれば、デジタル回線１８の断線などによる通信トラブルを事前に回避できる。
【００４８】
（実施の形態３）
実施の形態３は、これまでの実施の形態と同様に簡易型携帯電話システムにおける基地局装置に接続された複数のデジタル回線を選択する技術に関する。実施の形態３における基地局装置も、通信を開始する前に予め複数のデジタル回線の回線品質をそれぞれ測定するが、これまでの実施の形態とは回線品質の測定方法が異なる。当該基地局装置は、デジタル回線における信号のエラー回数を測定する。すなわち、実際に通信の対象となる信号のエラー回数の測定によって、回線品質が信号に与える影響を直接監視できる。
【００４９】
実施の形態３に係る簡易型携帯電話システム１００の構成としては、図１に示されるものが有効であるため、簡易型携帯電話システム１００の構成の説明は省略する。
【００５０】
実施の形態３に係る基地局装置１６の構成としては、図２または図６に示されるものが有効である。ここでは、処理部３４が所定期間におけるレイヤ２の単位フレームあたりのＣＲＣ（Ｃｙｃｌｉｃ  Ｒｅｄｕｎｄａｎｃｙ  Ｃｈｅｃｋ）エラー回数を測定する。さらに、決定部４０がそれぞれのデジタル回線１８に対応したＣＲＣエラー回数をもとにして、デジタル回線１８の優先度を設定する。
【００５１】
実施の形態２に係る優先順位を決定する手順を示すフローチャートとしては、図４に示されるものが有効である。ここでは、ステップ１０において、処理部３４で測定したデジタル回線１８におけるＣＲＣエラー回数を入力する。また、ステップ１４では、入力したＣＲＣエラー回数をもとにして、ＣＲＣエラー回数の小さいデジタル回線１８を品質のよいデジタル回線１８として処理する。
実施の形態２に係る有線通信回線を選択する手順を示すフローチャートとしては、図５に示されるものが有効であるため説明を省略する。
【００５２】
以上の構成による基地局装置１６の動作を説明する。端末装置１０との通信に先立って、複数の処理部３４は対応したデジタル回線１８におけるＣＲＣエラー回数を測定し、測定結果をもとに決定部４０がデジタル回線１８の優先度を決定する。端末装置１０との通信を開始する際、無線部３０で受信した通信開始の要求信号をもとにして、制御部３２がデジタル回線１８を選択する。具体的には、優先度テーブル４２に記憶された優先度をもとに使用されていないデジタル回線１８のうち最も優先度の高いデジタル回線１８を選択する。ここでは、最も優先度が高く設定されたデジタル回線１８が使用中であるとするため、次に優先度が高く設定されたデジタル回線１８を選択する。その結果、前述の端末装置１０からの通信開始の要求信号が、選択されたデジタル回線１８を伝送し、交換機２０に到達する。その後、端末装置１０は基地局装置１６を経由してネットワーク２２にある所定の通信装置と通信可能になる。
【００５３】
実施の形態３によれば、複数の有線通信回線のうち、レイヤ２のＣＲＣエラー回数の少ない有線通信回線がより高い頻度で使用され、その結果、ＣＲＣエラー回数の多い有線通信回線の使用頻度が減少するために、より安定した通信を提供できる。さらに、ＣＲＣエラー回数の測定を適宜実行すれば、デジタル回線１８の断線などによる通信トラブルを事前に回避できる。
【００５４】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５５】
実施の形態１から３において、同期確認部３６、クロック精度測定部４４、処理部３４は回線品質として、それぞれ非同期回数、クロック周波数の変動値、ＣＲＣエラー回数を通信処理の開始前に予め測定している。しかし、これらに限らず例えば、通信処理中においても逐次、非同期回数、クロック周波数の変動値、ＣＲＣエラー回数を測定し、測定結果をもとにデジタル回線１８の優先度を更新してもよい。本変形例によれば、優先度の信頼性が向上し、回線品質の劣化を原因とした回線トラブルの発生を低減できる。つまり、その時点の回線品質に応じた優先度が設定されればよい。
【００５６】
実施の形態１において、同期確認部３６は所定期間における非同期回数を測定し、また実施の形態３において、処理部３４は所定期間におけるＣＲＣエラー回数を測定している。しかし、これらに限らず例えば、タイミング同期が外れる確率やＣＲＣエラーが発生する確率としてもよい。本変形例によれば、所定期間に至らなくても回線品質のおよその程度を確認できる。つまり、複数のデジタル回線１８間の回線品質が比較できればよい。
【００５７】
実施の形態１から３において、制御部３２は通信終了後にそれまで使用していたデジタル回線１８を開放している。しかし、これに限らず、さらに制御部３２はその時点で使用されているデジタル回線１８のうち、開放したデジタル回線１８よりも優先度の低いデジタル回線１８があれば、当該デジタル回線１８を開放したデジタル回線１８に変更してもよい。本変形例によれば、より回線品質の高いデジタル回線１８が使用される。つまり、可能な限り回線品質の高いデジタル回線１８が使用されればよい。
【００５８】
実施の形態１から３において、同期確認部３６、クロック精度測定部４４、処理部３４はそれぞれ別の方法で回線品質を測定している。しかし、これに限らず例えば、同期確認部３６、クロック精度測定部４４、処理部３４がそれぞれ測定した回線品質を合成して、新たな回線品質を導出してもよい。本変形例によれば、回線品質をより詳細に測定できる。つまり、より適した回線品質が測定できればよい。
【００５９】
実施の形態１から３において、決定部４０は回線品質に応じて優先度を設定している。しかし、これに限らず例えば、所定のしきい値より高い回線品質を有するデジタル回線１８に、最も高い優先度を均一に設定してもよい。本変形例によれば、優先度を設定するための処理量を削減できる。つまり、回線品質の劣化を原因とした回線トラブルの発生が低減すればよい。
【００６０】
実施の形態１から３において、デジタル回線１８として、ＩＳＤＮを対象としたが、これに限らずたとえば、Ｅｔｈｅｒｎｅｔ（登録商標）でもよい。つまり、データが伝送できればよい。
【００６１】
【発明の効果】
本発明によれば、複数の有線通信回線から使用する有線通信回線を選択できる。また、複数の有線通信回線の中から通信に使用する有線通信回線を選択する際に、回線品質のよい有線通信回線を選択できる。
【図面の簡単な説明】
【図１】実施の形態１に係る簡易型携帯電話システムを示す構成図である。
【図２】図１の基地局装置の構成を示す図である。
【図３】図２の優先度テーブルにおけるデータ構造を示す図である。
【図４】図１の優先順位を決定する手順を示すフローチャートである。
【図５】図１の有線通信回線を選択する手順を示すフローチャートである。
【図６】実施の形態２に係る基地局装置の構成を示す図である。
【符号の説明】
１０  端末装置、  １２  端末用アンテナ、  １４  基地局用アンテナ、  １６  基地局装置、  １８  デジタル回線、  ２０  交換機、  ２２  ネットワーク、  ３０  無線部、  ３２  制御部、  ３４  処理部、  ３６  同期確認部、３８  ＤＳＵ、  ４０  決定部、  ４２  優先度テーブル、  ４４  クロック精度測定部、  １００  簡易型携帯電話システム。
【図１】
2004297217.tif 000003
【図２】
2004297217.tif 000004
【図３】
2004297217.tif 000005
【図４】
2004297217.tif 000006
【図５】
2004297217.tif 000007
【図６】
2004297217.tif 000008